【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
患者の体内の標的組織領域に導入するサイズのマーカであって、
前記マーカに当たるエネルギーパルスを電気エネルギーに変換するエネルギー変換器と、
前記エネルギーパルスによって開閉するように前記エネルギー変換器に結合されたスイッチと、
アンテナを提供するために前記スイッチに結合された一対の細長いワイヤと、
静電気放電事象に対する保護を提供するために前記スイッチに結合された静電気放電（ＥＳＤ）保護装置とを備え、
前記スイッチが、前記アンテナにより反射されて信号源へと戻る信号を変調するために、開閉するように構成され、
電気部品５０が、電子機器パッケージ内に収容され又は組み込まれ、
各ワイヤは、パッケージ内のプリント回路基板またはその他の回路に結合された第１端部と、拡大および／または丸みを帯びた先端で終わる第２自由端部とを含み、前記第１端部は、前記スイッチへの前記第１端部の結合を容易にすべく、かつ／または前記ワイヤが前記パッケージの両側から接線方向に延びるように、１またはそれ以上の屈曲部を含むことを特徴とするマーカ。
【請求項２】
請求項１に記載のマーカにおいて、
前記ワイヤは、前記マーカの長手方向軸に対して実質的に平行に延びるように、実質的に直線的な形状をとるようにバイアスされ、前記ワイヤの一方は、送達装置内に前記マーカを装填するのを改善するために、前記長手方向軸からオフセットされることを特徴とするマーカ。
【請求項３】
患者の体内の標的組織領域に導入するサイズのマーカであって、
前記マーカに当たるエネルギーパルスを電気エネルギーに変換するエネルギー変換器と、
前記エネルギーパルスによって開閉するように前記エネルギー変換器に結合されたスイッチと、
アンテナを提供するために前記スイッチに結合された一対の細長いワイヤと、
静電気放電事象に対する保護を提供するために前記スイッチに結合された静電気放電（ＥＳＤ）保護装置とを備え、
前記スイッチが、前記アンテナにより反射されて信号源へと戻る信号を変調するために、開閉するように構成されていることを特徴とするマーカ。
【請求項４】
請求項１または３に記載のマーカにおいて、
前記スイッチが、電界効果トランジスタ（ＦＥＴ）またはショットキーダイオードを含むことを特徴とするマーカ。
【請求項５】
請求項４に記載のマーカにおいて、
前記細長いワイヤの第１端部が、ＦＥＴまたはショットキーダイオードの端子に結合されて前記アンテナを提供することを特徴とするマーカ。
【請求項６】
請求項１または３に記載のマーカにおいて、
前記エネルギー変換器が、光源から受け取った光パルスを変換して前記スイッチを開閉するための電圧を生成するように構成された１またはそれ以上の感光性ダイオードを含むことを特徴とするマーカ。
【請求項７】
請求項１または３に記載のマーカにおいて、
前記スイッチが、電界効果トランジスタ（ＦＥＴ）を含み、前記一対の細長いワイヤが、前記アンテナを提供するために、ＦＥＴのドレインに接続された第１ワイヤと、ＦＥＴのソースに接続された第２ワイヤとを含むことを特徴とするマーカ。
【請求項８】
請求項７に記載のマーカにおいて、
前記ＥＳＤ保護装置が、ＦＥＴのドレインとソースとの間に接続されて、ドレインとソースとの間の最大電圧を設定することを特徴とするマーカ。
【請求項９】
請求項７に記載のマーカにおいて、
前記エネルギー変換器が、１またはそれ以上の感光性ダイオードを含み、当該感光性ダイオードが、ＦＥＴのゲートとＦＥＴのソースとの間に接続されて、光源から受け取った光パルスを変換することにより、ＦＥＴを開閉する電圧を生成することを特徴とするマーカ。
【請求項１０】
請求項３に記載のマーカにおいて、
前記細長いワイヤが、前記エネルギー変換器および前記スイッチを収容するパッケージからほぼ反対の方向に延在することを特徴とするマーカ。
【請求項１１】
患者の体内の標的組織領域に導入するサイズのマーカであって、
電界効果トランジスタ（ＦＥＴ）と、
前記ＦＥＴのソースとゲートとの間に直列に接続され、光源から受け取った光パルスを変換して前記ＦＥＴを開閉するための電圧を生成する１またはそれ以上の感光性ダイオードと、
前記ＦＥＴのドレインおよび前記ＦＥＴのソースに接続されてアンテナを提供する一対の細長いワイヤと、
前記ＦＥＴのドレインとソースとの間の最大電圧を設定するために、ドレインとソースとの間に接続された静電気放電（ＥＳＤ）保護装置とを備え、
前記ＦＥＴが、前記アンテナにより反射されて信号源へと戻る信号を変調するために、開閉するように構成されていることを特徴とするマーカ。
【請求項１２】
請求項１１に記載のマーカにおいて、
前記一対の細長いワイヤが、前記アンテナを提供するために、前記ＦＥＴのドレインに接続された第１ワイヤと、前記ＦＥＴのソースに結合された第２ワイヤとを備え、前記ＦＥＴが閉じているときに、前記第１ワイヤおよび第２ワイヤが互いに接続されることを特徴とするマーカ。
【請求項１３】
請求項６または１１に記載のマーカにおいて、
前記１またはそれ以上の感光性ダイオードが、互いに直交して配置された複数のダイオードを含むことを特徴とするマーカ。
【請求項１４】
請求項３または１１に記載のマーカにおいて、
前記細長いワイヤが、実質的に直線状の形態にバイアスされていることを特徴とするマーカ。
【請求項１５】
請求項１１に記載のマーカにおいて、
前記細長いワイヤが、前記１またはそれ以上の感光性ダイオードおよび前記ＦＥＴを収容するパッケージからほぼ反対の方向に延びることを特徴とするマーカ。
【請求項１６】
請求項１１に記載のマーカにおいて、
前記ＦＥＴのソースとゲートとの間に接続された抵抗器をさらに備えることを特徴とするマーカ。
【請求項１７】
体内のマーカの位置を特定するシステムであって、
請求項１−３または１０−１２の何れか一項に記載のマーカと、
前記マーカに向けて体内に送信信号を送信するように構成された送信アンテナと、前記マーカから反射される受信信号を受信するように構成された受信アンテナと、スイッチが開閉して、前記マーカにより反射されて受信アンテナに戻る信号が変調されるように、体内にエネルギーパルスを供給するためのエネルギー源とを備えるプローブであって、その先端部に前記受信アンテナが収容されたプローブと、
前記受信アンテナに接続されたプロセッサであって、前記マーカにより反射されて変調された信号に少なくとも部分的に基づいて、体内のマーカの位置を特定するプロセッサと、
前記プローブの先端部から前記マーカまでの距離を表す情報を提示するディスプレイとを備えることを特徴とするシステム。
【請求項１８】
請求項１７に記載のシステムにおいて、
前記送信アンテナがボウタイアンテナ素子であり、前記受信アンテナがボウタイアンテナ素子であり、前記送信アンテナと前記受信アンテナがマルタクロスアンテナを一緒に形成することを特徴とするシステム。
【請求項１９】
請求項１７に記載のシステムにおいて、
インピーダンス整合のために、前記送信アンテナおよび前記受信アンテナの上に取り付けられたセラミック素子をさらに備えることを特徴とするシステム。
【請求項２０】
請求項１７に記載のシステムにおいて、
前記エネルギー源が光源を含み、前記エネルギー変換器が、前記光源からの光を変換して前記スイッチを開閉するための電圧を生成するように構成された１またはそれ以上の感光性ダイオードを含むことを特徴とするシステム。
【請求項２１】
患者の体内の標的組織領域の位置を特定するシステムであって、
患者の体内に電磁信号を送信し、患者の体内から反射信号を受信するための１またはそれ以上のアンテナを有するプローブであって、患者の体内にエネルギーパルスを送達するためのエネルギー源をさらに含むプローブと、
患者の体内に埋め込むサイズのマーカとを備え、
前記マーカが、
前記エネルギー源からのエネルギーパルスを電気エネルギーに変換するように構成されたエネルギー変換器と、
前記エネルギー変換器に接続されたスイッチであって、エネルギーパルスによって開閉して、前記マーカにより反射された前記プローブからの電磁信号を変調するスイッチと、
静電気放電事象に対する保護を提供するために前記スイッチに接続された静電気放電（ＥＳＤ）保護装置とを備えることを特徴とするシステム。
【請求項２２】
請求項２１に記載のシステムにおいて、
前記スイッチが、電界効果トランジスタ（ＦＥＴ）またはショットキーダイオードを含むことを特徴とするシステム。
【請求項２３】
請求項２２に記載のシステムにおいて、
前記マーカが、アンテナを提供するために、ＦＥＴまたはショットキーダイオードの端子に接続された一対の細長い部材を含むことを特徴とするシステム。
【請求項２４】
請求項２３に記載のシステムにおいて、
前記ＥＳＤ保護装置が、前記端子間の最大電圧を設定するために、前記端子間に接続されていることを特徴とするシステム。
【請求項２５】
請求項２１に記載のシステムにおいて、
前記エネルギー源が光源を含み、前記エネルギー変換器が、前記光源からの光を変換して前記スイッチを開閉する電圧を生成するように構成された１またはそれ以上の感光性ダイオードを含むことを特徴とするシステム。